(57)【要約】      （修正有）【課題】各電極や引き回し配線を同一面上に配置することが容易であり、セグメント表示型に適したＩＰＳ型液晶表示装置を提供すること。【解決手段】液晶表示装置は、各々がいずれかの第１電極と接続された複数の第１引き回し配線と、各々がいずれかの第２電極と接続された複数の第２引き回し配線と、第１基板の一端において第２基板と重ならずに露出した端子部と、複数の第１外部取り出し電極端子と、端子部に設けられ、各第１外部取り出し電極端子のいずれとも電気的に絶縁された状態で各第２引き回し配線のうちのいくつかの第２引き回し配線を相互に接続する迂回配線と、各第２引き回し配線のうちの迂回配線と接続され、又は迂回配線と接続されない第２引き回し配線と接続された複数の第２外部取り出し電極端子を備える。【選択図】図６
2015121584.tif 000002
【特許請求の範囲】
【請求項１】
定型の文字又は図柄を表示するための表示部を備える液晶表示装置であって、
対向配置された第１基板及び第２基板と、
前記第１基板と前記第２基板の間に配置された液晶層と、
前記第１基板の一面側に設けられた複数の第１電極と、
前記第１基板の一面側に設けられた複数の第２電極と、
前記第１基板の一面側に設けられ、各々が前記複数の第１電極のいずれかと接続された複数の第１引き回し配線と、
前記第１基板の一面側に設けられ、各々が前記複数の第２電極のいずれかと接続された複数の第２引き回し配線と、
前記第１基板の一端において前記第２基板と重ならずに露出した端子部と、
前記端子部に設けられ、各々が前記複数の第１引き回し配線のいずれかと接続された複数の第１外部取り出し電極端子と、
前記端子部に設けられ、前記複数の第１外部取り出し電極端子のいずれとも電気的に絶縁された状態で前記複数の第２引き回し配線のうちのいくつかの第２引き回し配線を相互に接続する迂回配線と、
前記端子部に設けられ、各々が、前記複数の第２引き回し配線のうちの前記迂回配線と接続された第２引き回し配線又は当該迂回配線と接続されない第２引き回し配線と接続された複数の第２外部取り出し電極端子と、
を含む、液晶表示装置。
【請求項２】
前記迂回配線は、１つ以上の繋ぎ配線と、ジャンパー配線と、を含み、
前記繋ぎ配線は、平面視において前記複数の第１外部取り出し電極端子の相互の間隙に配置され、前記ジャンパー配線は、平面視において前記複数の第１外部取り出し電極端子のそれぞれよりも前記第１基板の一端に近い側に配置される、
請求項１に記載の液晶表示装置。
【請求項３】
前記迂回配線は、前記１つ以上のパッド部と、前記導通部材と、を含み、
前記端子部に設けられ、前記パッド部の少なくとも一部を露出させる開口部を有する絶縁膜、を更に含み、
前記パッド部は、平面視において前記複数の第１外部取り出し電極端子の相互間の間隙に配置され、前記導通部材は、前記パッド部と接触するようにして前記絶縁膜の上側に設けられる、
請求項１に記載の液晶表示装置。
【請求項４】
前記導通部材が導電性ペーストである、
請求項３に記載の液晶表示装置。
【請求項５】
前記複数の第１電極と前記複数の第２電極は、それぞれが複数の電極枝を有し、
前記複数の第１電極の各々は、前記複数の第２電極のいずれかと対をなし、
当該対をなす第１電極と第２電極は互いの複数の電極枝が交互に並ぶように配置されている、
請求項１〜４のいずれか１項に記載の液晶表示装置。
【発明の詳細な説明】
【技術分野】
【０００１】
本発明は、基板面に水平な方向の電界を用いて液晶層を駆動する液晶表示装置に関する。
【背景技術】
【０００２】
一般的な液晶表示装置は、液晶層を挟んで対向配置された一対の基板のそれぞれに電極が設けられており、それらの電極を用いて基板面に垂直な方向に電界を発生させて液晶層の配向状態を変化させることにより明暗表示を実現する。このような液晶表示装置では、電界印加時に液晶層の液晶分子が基板面に対して傾斜して配向するため、傾斜方向が一方向に偏ることになり、明暗表示に視角依存性を生じる。
【０００３】
このような不都合を解消し、良好な視角特性を実現し得る液晶表示装置は、例えば特開昭５６−９１２７７号公報（特許文献１）や特開平７−７２４９１号公報（特許文献２）に開示されている。これら特許文献１、２に開示される液晶表示装置は、液晶層を挟んで対向配置される一対の基板のうち、片側基板の一面上にそれぞれ表示電極と共通電極を設け、両電極間を用いて基板面にほぼ水平な方向に電界を発生させて液晶層の配向状態を変化させることにより明暗表示を実現する。このような液晶表示装置は、電界印加時に液晶層の液晶分子が基板面に水平な状態のままで配向変化するため明暗表示に視角依存性を生じにくく、このため良好な視角特性を実現することができる。このような液晶表示装置はインプレーンスイッチング（ＩＰＳ：In-Plane  Switching）型液晶表示装置と呼ばれる。特許文献１に開示の液晶表示装置は、表示電極と共通電極の各交差部に薄膜トランジスタ等の能動素子を設けて各画素をスイッチングするアクティブマトリクス駆動型である。他方、特許文献２に開示の液晶表示装置は、上記のような能動素子を用いない単純マトリクス駆動型である。
【０００４】
ところで、先行例のＩＰＳ型液晶表示装置は、いずれも複数の画素をマトリクス状に配置して画像表示を行うことを想定したものであるが、任意の表示部形状を有するセグメント表示型液晶表示装置に適した構造を提案するものではない。具体的には、先行例のＩＰＳ型液晶表示装置は、表示電極と対向電極、又はそれに接続される引き回し配線において必ず平面視において交差部分が存在しており、この交差部分は絶縁膜を介在させることにより絶縁が確保されている。このような絶縁膜を設けることは液晶表示装置の製造時における工程数を増加させる要因となる。ここで、特許文献１に開示の液晶表示装置では、能動素子を構成するためにパッシベーション膜を設けており、これを成膜するときに併せて上記した交差部分の絶縁膜を形成することができるため、製造時の工程数を増加させる要因とはなりにくい。しかしながら、一般にセグメント表示型液晶表示装置においては能動素子を設けないため、上記したような交差部分に絶縁膜を設けることにした場合には製造時の工程数が増加する懸念がある。他方で、交差部分を設けないようにするためには表示電極と対向電極の各々の対応した引き回し配線をすべて同一面上に配置する必要があるが、表示部の数が増えるほどに引き回し配線も増えることから、交差部分を設けずに各電極や引き回し配線を同一面上に配置することは困難となる。
【先行技術文献】
【特許文献】
【０００５】
【特許文献１】特開昭５６−９１２７７号公報
【特許文献２】特開平７−７２４９１号公報
【発明の概要】
【発明が解決しようとする課題】
【０００６】
本発明に係る具体的態様は、各電極や引き回し配線を同一面上に配置することが容易であり、セグメント表示型に適したＩＰＳ型液晶表示装置を提供することを目的の１つとする。
【課題を解決するための手段】
【０００７】
本発明に係る一態様の液晶表示装置は、定型の文字又は図柄を表示するための表示部を備える液晶表示装置であって、（ａ）対向配置された第１基板及び第２基板と、（ｂ）前記第１基板と前記第２基板の間に配置された液晶層と、（ｃ）前記第１基板の一面側に設けられた複数の第１電極と、（ｄ）前記第１基板の一面側に設けられた複数の第２電極と、（ｆ）前記第１基板の一面側に設けられ、各々が前記複数の第１電極のいずれかと接続された複数の第１引き回し配線と、（ｇ）前記第１基板の一面側に設けられ、各々が前記複数の第２電極のいずれかと接続された複数の第２引き回し配線と、（ｈ）前記第１基板の一端において前記第２基板と重ならずに露出した端子部と、（ｉ）前記端子部に設けられ、各々が前記複数の第１引き回し配線のいずれかと接続された複数の第１外部取り出し電極端子と、（ｊ）前記端子部に設けられ、前記複数の第１外部取り出し電極端子のいずれとも電気的に絶縁された状態で前記複数の第２引き回し配線のうちのいくつかの第２引き回し配線を相互に接続する迂回配線と、（ｋ）前記端子部に設けられ、各々が前記複数の第２引き回し配線のうちの前記迂回配線と接続された第２引き回し配線又は当該迂回配線と接続されない第２引き回し配線と接続された複数の第２外部取り出し電極端子を含む、液晶表示装置である。
【０００８】
上記の構成によれば、端子部を利用していくつかの第２引き回し配線を迂回配線によって相互に接続して第２外部取り出し電極端子と接続することで、基板上での配線レイアウトの自由度を高めることができる。それにより、交差部分を設けずに各電極や引き回し配線を同一面上に配置することが容易となり、セグメント表示型に適したマルチプレックス駆動のＩＰＳ型液晶表示装置が得られる。
【０００９】
上記の液晶表示装置において、前記迂回配線は、１つ以上の繋ぎ配線と、ジャンパー配線とを含み、前記繋ぎ配線は、平面視において前記複数の第１外部取り出し電極端子の相互の間隙に配置され、前記ジャンパー配線は、平面視において前記複数の第１外部取り出し電極端子のそれぞれよりも前記第１基板の一端に近い側に配置される、ことが好ましい。
【００１０】
上記の液晶表示装置において、前記迂回配線は、前記１つ以上のパッド部と、前記導通部材とを含み、前記端子部には、前記パッド部の少なくとも一部を露出させる開口部を有する絶縁膜が更に設けられており、前記パッド部は、平面視において前記複数の第１外部取り出し電極端子の相互間の間隙に配置され、前記導通部材は、前記パッド部と接触するようにして前記絶縁膜の上側に設けられる、ことも好ましい。ここでいう導通部材とは、例えば導電性ペーストである。
【００１１】
上記の液晶表示装置において、前記複数の第１電極と前記複数の第２電極は、それぞれが複数の電極枝を有し、前記複数の第１電極の各々は、前記複数の第２電極のいずれかと対をなし、当該対をなす第１電極と第２電極は互いの複数の電極枝が交互に並ぶように配置されている、ことが好ましい。
【図面の簡単な説明】
【００１２】
【図１】図１は、第１実施形態の液晶表示装置の構成を示す断面図である。
【図２】図２は、第１実施形態の液晶表示装置における電極と引き回し配線の構成を部分的に示す平面図である。
【図３】図３（Ａ）は第１電極の平面図であり、図３（Ｂ）は第２電極の平面図である。
【図４】図４は、第１実施形態の液晶表示装置の結線状態を説明するための図である。
【図５】図５は、第１実施形態の液晶表示装置における第１電極（セグメント電極）および引き回し配線の構成例を示す平面図である。
【図６】図６は、第１実施形態の液晶表示装置における第２電極（コモン電極）および引き回し配線の構成例を示す平面図である。
【図７】図７は、第１実施形態の液晶表示装置における第２電極（コモン電極）および引き回し配線の構成例を示す平面図である。
【図８】図８は、ジャンパー配線等の上側に設けられる絶縁膜の配置例を示す平面図である。
【図９】図９は、第１実施形態の液晶表示装置における第１電極と第２電極を一緒に示した平面図である。
【図１０】図１０は、第２実施形態の液晶表示装置における第１電極（セグメント電極）および引き回し配線の構成例を示す平面図である。
【図１１】図１１は、第２実施形態の液晶表示装置における第２電極（コモン電極）および引き回し配線の構成例を示す平面図である。
【図１２】図１２は、第２実施形態の液晶表示装置における第２電極（コモン電極）および引き回し配線の構成例を示す平面図である。
【図１３】図１３は、パッド部等の上側に設けられる絶縁膜の配置例を示す平面図である。
【図１４】図１４は、第２実施形態の液晶表示装置における第１電極と第２電極を一緒に示した平面図である。
【図１５】図１５は、第３実施形態の液晶表示装置の結線状態を説明するための図である。
【図１６】図１６は、第３実施形態の液晶表示装置における第１電極（セグメント電極）および引き回し配線の構成例を示す平面図である。
【図１７】図１７は、第３実施形態の液晶表示装置における第２電極（コモン電極）および引き回し配線の構成例を示す平面図である。
【図１８】図１８は、第３実施形態の液晶表示装置における第２電極（コモン電極）および引き回し配線の構成例を示す平面図である。
【図１９】図１９は、第３実施形態の液晶表示装置における第２電極（コモン電極）および引き回し配線の構成例を示す平面図である。
【図２０】図２０は、ジャンパー配線、パッド部等の上側に設けられる絶縁膜の配置例を示す平面図である。
【図２１】図２１は、第３実施形態の液晶表示装置における第１電極と第２電極を一緒に示した平面図である。
【発明を実施するための形態】
【００１３】
以下に、本発明の実施の形態について図面を参照しながら説明する。
【００１４】
（第１実施形態）
図１は、第１実施形態の液晶表示装置の構成を示す断面図である。また、図２は、第１実施形態の液晶表示装置における電極と引き回し配線の構成を部分的に示す平面図である。図１に示す断面図は図２におけるａ−ａ線における断面に対応している。各図に示すように、本実施形態の液晶表示装置は、対向配置された第１基板１１および第２基板１２と、第１基板１１と第２基板１２の間に配置された液晶層１７を基本構成として備える。例えば、本実施形態の液晶表示装置は、電極の配置された領域によって文字や図案が直接的に形作られ、基本的に予め定められた文字等、すなわち定型の文字等のみを表示可能であり、概ね、有効表示領域内における面積比で５０％以下程度の領域が文字等の表示に寄与するものであるセグメント表示型の液晶表示装置である。なお、液晶表示装置は、複数の画素がマトリクス状に配列されたドットマトリクス表示型とセグメント表示型が混在したものであってもよい。
【００１５】
第１基板１１および第２基板１２は、それぞれ例えばガラス基板、プラスチック基板等の透明基板である。図示のように、第１基板１１と第２基板１２は、所定の間隙（例えば３μｍ程度）を設けて貼り合わされている。第１基板１１と第２基板１２の間隙は、図示しない枠状のシール材に含有するロッド状又は球状のスペーサーと、基板面内に均一に分散配置される球状スペーサーにより保持される。
【００１６】
第１電極１３、第２電極１４、引き回し配線（第１引き回し配線）２３、引き回し配線（第２引き回し配線）２４は、それぞれ第１基板１１の一面側に設けられている。第１電極１３は引き回し配線２３と接続されており、第２電極１４は引き回し配線２４と接続されている。これらの第１電極１３、第２電極１４および引き回し配線２３、２４は、それぞれ例えばインジウム錫酸化物（ＩＴＯ）などの透明導電膜を適宜パターニングすることによって構成されている。
【００１７】
第１電極１３は、複数の電極枝１３ａを連ねた櫛歯状電極である。同様に第２電極１４は、複数の電極枝１４ａを連ねた櫛歯状電極である。これらの第１電極１３と第２電極１４は、図２に示すように互いの電極枝が平面視において交互に噛み合うように配置されている。図３（Ａ）に第１電極１３の平面図を示し、図３（Ｂ）に第２電極１４の平面図を示す。図１および図２にそれぞれ示すように、両電極の電極枝が配置された領域４０が文字等の表示に寄与する領域である。表示部４０においては第１電極１３と第２電極１４の各電極枝１３ａ、１４ａが一定間隔で交互に配置される。
【００１８】
第１配向膜１５は、第１基板１１の一面側に第１電極１３、第２電極１４、各引き回し線２３、２４を覆うようにして設けられている。第２配向膜１６は、第２基板１２の一面側に設けられている。これらの第１配向膜１５、第２配向膜１６としては、例えば液晶層１７の配向状態を水平配向に規制する水平配向膜が用いられている。各配向膜にはラビング処理等の一軸配向処理が施されている。
【００１９】
液晶層１７は、第１基板１１と第２基板１２の間に設けられている。本実施形態においては、誘電率異方性Δεが負の液晶材料を用いて液晶層１７が構成される。本実施形態の液晶層１７は、電圧無印加時における液晶分子の配向方向が第１基板１１および第２基板１２の各基板面に対してほぼ水平となる水平配向に設定されている。
【００２０】
液晶層１７に負の誘電率異方性を有する液晶材料を用いる場合には、液晶層１７の層厚方向の略中央における液晶分子の配向方向４１は、例えば図示のように各電極枝１３ａ、１４ａの延在方向と交差する方向であるｘ方向へ設定することができる。なお、正の誘電率異方性を有する液晶材料を用いる場合には、例えば各電極枝１３ａ、１４ａの延在方向と平行な方向であるｙ方向へ設定することができる。これにより、各電極枝１３ａ、１４ａのエッジの屈曲方向が異なる領域ごとに電圧印加時における液晶分子の面内回転方向を互いに逆にすることができるので、２ドメイン配向状態を実現し、視角特性の向上を図ることができる。
【００２１】
第１偏光板２１は、第１基板１１の外側に配置されている。同様に、第２偏光板２２は、第２基板１２の外側に配置されている。第１偏光板２１は、例えばその吸収軸が液晶層１７の液晶分子の配向方向に対して略平行に配置される。また、第２偏光板２２は、例えばその吸収軸が第１偏光板２１の吸収軸に対して略直交に配置される。なお、各偏光板と各基板との間には適宜Ｃプレート等の光学補償板が配置されてもよい。
【００２２】
図４は、第１実施形態の液晶表示装置の結線状態を説明するための図である。ここでは、二桁の数字を表示可能なセグメント表示型の液晶表示装置における結線状態を示している。各桁の数字はそれぞれ７つの表示部（セグメント表示部）を用いて表現されており、合計で１４の表示部が存在する。本実施形態ではこのようなセグメント表示型の各表示部を１／２デューティでマルチプレックス駆動する場合を考える。細線で示された８つの配線Ｓ１〜Ｓ８が各第１電極（セグメント電極）の結線状態を表し、太線で示された２つの配線Ｃ１、Ｃ２が各第２電極（走査電極）の結線状態を示している。
【００２３】
図５は、第１実施形態の液晶表示装置における第１電極（セグメント電極）および引き回し配線の構成例を示す平面図である。図５に示すように、各第１電極１３は、二桁の数字を表示するための合計１４の表示部にそれぞれ対応して設けられている。各第１電極１３は、上記した図３（Ａ）に示したように櫛歯状の電極枝１３ａで構成されている。代表していくつかの第１電極１３にのみ符号を付す。各第１電極１３には、図４に示した結線状態を実現するための引き回し配線２３が接続されている。代表していくつかの引き回し配線２３にのみ符号を付す。外部取り出し電極端子２５は、図示しない外部駆動回路に接続するために第１基板１１の上端側の端子部１１ａに設けられたものであり、それぞれ引き回し配線２３と接続されている。なお、端子部１１ａとは、第1基板１１の一部が第２基板１２とが重ならずに露出し、外部取り出し電極端子２５（および後述する外部取り出し電極端子２６）が設けられる部分である。
【００２４】
図６および図７は、第１実施形態の液晶表示装置における第２電極（コモン電極）および引き回し配線の構成例を示す平面図である。各第２電極１４は、二桁の数字を表示するための合計１４の表示部にそれぞれ対応して設けられている。図６には各第２電極１４のうちの上記した配線Ｃ１に対応した部分が示されており、図７には各第２電極１４のうちの上記した配線Ｃ２に対応した部分が示されている。各第２電極１４は、上記した図３（Ｂ）に示したように櫛歯状の電極枝１４ａで構成されている。代表していくつかの第２電極１４にのみ符号を付す。第２電極１４には、引き回し配線２４が接続されている。代表していくつかの引き回し配線２４にのみ符号を付す。
【００２５】
図６に示すように、第１基板１１の上端側の端子部１１ａには、各引き回し配線２４を相互に接続するための迂回配線が設けられている。具体的には、迂回配線は、ジャンパー配線２７および各繋ぎ配線２８からなる。図示の例ではジャンパー配線２７は、第１基板１１の上端エッジに沿って直線状に設けられており、端子部１１ａにおいて上記の各外部取り出し電極端子２５よりも第１基板１１の上端に近い側に配置されている。そして、各引き回し配線２４の端部とジャンパー配線２７の間はそれぞれ繋ぎ配線２８によって接続されている。各繋ぎ配線２８は、端子部１１ａにおいて、上記の外部取り出し電極端子２５と接触しないように、これら外部取り出し電極端子２５同士の間隙に配置される（後述する図９参照）。これらのジャンパー配線２７および各繋ぎ配線２８からなる迂回配線により、各引き回し配線２４が１つの外部取り出し端子２６へすべて接続される。外部取り出し電極端子２６は、図示しない外部駆動回路に接続するためのものである。なお、図７に示す各引き回し線２４は、外部取り出し電極端子２６と直接的に接続されている。
【００２６】
図８は、ジャンパー配線等の上側に設けられる絶縁膜の配置例を示す平面図である。各外部取り出し電極端子２５、２６は、第１基板１１の上端側の端子部１１ａにおいて同一面上に配置され、各外部取り出し電極端子２５等には図示しないリードフレーム等が設けられるので、ジャンパー配線２７等と外部取り出し電極端子２５との間で短絡を防ぐ必要がある。このため、図示のように、各外部取り出し電極端子２５、２６の形成される領域をそれぞれ露出させる複数の開口部２９ａを有する絶縁膜２９が第１基板１１の端子部１１ａに設けられる。ここでの絶縁膜２９とは、例えばＳｉＯ２膜などである。このような絶縁膜２９を設けてジャンパー配線２７等が被覆することで、ジャンパー配線２７等と外部取り出し電極端子２５の間の短絡を確実に防ぐことができる。
【００２７】
図９は、第１実施形態の液晶表示装置における第１電極と第２電極を一緒に示した平面図である。なお、図２に示した拡大図は図９に円で囲んで示したｂ部に対応している。図示のように、第１電極１３、第２電極１４、引き回し配線２３、２４はすべて第１基板１１の同一面上に設けられる。また、各外部取り出し電極端子２５、２６、ジャンパー配線２７、各繋ぎ配線２８はすべて第１基板１１の同一面上であって上端部の端子部１１ａに設けられる。そして、この端子部１１ａには上記した絶縁膜２９が設けられ、この絶縁膜２９によって各ジャンパー配線２７等は被覆される。各外部取り出し電極端子２５、２６は、絶縁膜２９の各開口部２９ａを介して露出する。
【００２８】
（第２実施形態）
第２実施形態の液晶表示装置は上記した第１実施形態の液晶表示装置と同様の構成を備えている（図１等参照）。したがって、以下では第２実施形態の液晶表示装置を説明する際に、第１実施形態の液晶表示装置と共通する構成要素については同一名称、同一符号を用いたうえで、それらの詳細な説明については適宜省略する。第１実施形態と第２実施形態の主な違いは、第１基板１１の上端部における各外部取り出し電極端子２５等の構成である。以下、主に相違点に着目して説明する。
【００２９】
図１０は、第２実施形態の液晶表示装置における第１電極（セグメント電極）および引き回し配線の構成例を示す平面図である。図１０に示すように、各第１電極１３は、二桁の数字を表示するための合計１４の表示部にそれぞれ対応して設けられている。そして、各第１電極１３に対応して、第１基板１１の面上に各引き回し配線２３が設けられている。
【００３０】
第１実施形態との違いは、第１基板１１の端子部１１ａに設けられた各外部取り出し電極端子２５の形状および配置状態である。具体的には、各外部取り出し電極端子２５は、相対的に広い幅で形成された部位と狭い幅で形成された部位とを有しており、広い幅の部位を第１基板１１の上端側に寄せて配置されている。それにより、第１基板１１の上端から遠い側においては各外部取り出し電極端子２５の相互の間隙をより広く確保できる。
【００３１】
図１１および図１２は、第２実施形態の液晶表示装置における第２電極（コモン電極）および引き回し配線の構成例を示す平面図である。各第２電極１４は、二桁の数字を表示するための合計１４の表示部にそれぞれ対応して設けられている。図１１には各第２電極１４のうちの上記した配線Ｃ１に対応した部分が示されており、図１２には各第２電極１４のうちの上記した配線Ｃ２に対応した部分が示されている。そして、各第２電極１４に対応して、第１基板１１の面上に各引き回し配線２４が設けられている。
【００３２】
図１１に示すように、第１基板１１の上端側の端子部１１ａには、各引き回し配線２４を外部から相互に接続するために、各引き回し配線２４にそれぞれ対応する複数のパッド部５０が設けられている。図示の例では各パッド部５０は、第１基板１１の端子部１１ａにおいて、第１基板１１の上端から遠い側に配置されている。そして、各パッド部５０は、端子部１１ａにおいて、外部取り出し電極端子２５と接触しないようにそれら外部取り出し電極端子２５同士の間隙に配置されている。各パッド部５０は、上記した各外部取り出し電極端子２５の相対的に幅の狭い部位の相互間に配置されている（後述する図１４参照）。これらのパッド部５０の間をなんらかの導通部材（例えば導電性ペースト）を用いて相互に接続することにより、各引き回し配線２４が１つの外部取り出し端子２６へすべて接続される。外部取り出し電極端子２６は、図示しない外部駆動回路に接続するためのものである。なお、図１２に示す各引き回し線２４は、外部取り出し電極端子２６と直接的に接続されている。
【００３３】
図１３は、パッド部等の上側に設けられる絶縁膜の配置例を示す平面図である。各外部取り出し電極端子２５、２６は、第１基板１１の上端側の端子部１１ａにおいて同一面上に配置され、各外部取り出し電極端子２５等には図示しないリードフレーム等が設けられるので、各パッド部５０と外部取り出し電極端子２５との間で短絡を防ぐ必要がある。このため、図示のように、各外部取り出し電極端子２５、２６の形成される領域をそれぞれ露出させる複数の開口部２９ａと各パッド部５０の形成される領域をそれぞれ露出させる複数の開口部２９ｂとを有する絶縁膜２９が第１基板１１の端子部１１ａに設けられる。ここでの絶縁膜２９とは、例えばＳｉＯ２膜などである。このような絶縁膜２９を設けることで各パッド部５０と外部取り出し電極端子２５の間の短絡を確実に防ぐことができる。
【００３４】
図１４は、第２実施形態の液晶表示装置における第１電極と第２電極を一緒に示した平面図である。図示のように、第１電極１３、第２電極１４、引き回し配線２３、２４はすべて第１基板１１の同一面上に設けられる。また、各外部取り出し電極端子２５、２６および各パッド部５０はすべて第１基板１１の同一面上であって上端部の端子部１１ａに設けられる。そして、この端子部１１ａには、上記した絶縁膜２９が設けられ、この絶縁膜２９によって各パッド部５０等は被覆される。各外部取り出し電極端子２５、２６は、絶縁膜２９の各開口部２９ａを介して露出し、各パッド部５０は、絶縁膜２９の各開口部２９ｂを介して露出する。各パッド部５０の相互間は、絶縁膜２９上に設けられる導通部材５１によって相互に接続され、１つの外部取り出し電極端子２６と接続される。ここでいう導通部材５１とは、例えば導電性ペーストである。
【００３５】
なお、各パッド部５０を接続するための導通部材５１としては、導通ラバーコンタクトを用いることも可能である。また、第１基板１１と第２基板１２を貼り合わせるために用いるシール部材において、少なくとも１辺が基板と平行な面内方向に導通可能な材料である場合（例えば、シール部材にカーボンなどの導通性部材が含まれている場合）には、絶縁膜２９の各開口部２９ｂをシール部材の下に配置することもできる。また、シール部材の外側でも第１基板１１と第２基板１２の重なった部分に重畳するように各開口部２９ｂを設け、導通部分を外部雰囲気から保護する構造を採ることも可能である。さらに、導通部材５１としてはクリップ端子を用いることも可能である。そのようなクリップ端子の一例は、特開２００３−４５５１６号公報に開示されている。
【００３６】
（第３実施形態）
第３実施形態の液晶表示装置は上記した第１実施形態、第２実施形態の各液晶表示装置と同様の構成を備えている（図１等参照）。したがって、以下では第３実施形態の液晶表示装置を説明する際に、第１実施形態等の液晶表示装置と共通する構成要素については同一名称、同一符号を用いたうえで、それらの詳細な説明については適宜省略する。第３実施形態の液晶表示装置は、１／３デューティでのマルチプレックス駆動を実現するために、上記した第１実施形態と第２実施形態のそれぞれで示した構成を併せ持たせた構成を有する。
【００３７】
図１５は、第３実施形態の液晶表示装置の結線状態を説明するための図である。ここでは、二桁の数字を表示するセグメント表示型の液晶表示装置における結線状態を示している。各桁の数字はそれぞれ７つの表示部（セグメント表示部）を用いて表現されており、合計で１４の表示部が存在する。本実施形態ではこのようなセグメント表示型の各表示部を１／３デューティでマルチプレックス駆動する場合を考える。細線で示された８つの配線Ｓ１〜Ｓ６が各第１電極（セグメント電極）の結線状態を表し、太線で示された３つの配線Ｃ１、Ｃ２、Ｃ３が各第２電極（走査電極）の結線状態を示している。
【００３８】
図１６は、第３実施形態の液晶表示装置における第１電極（セグメント電極）および引き回し配線の構成例を示す平面図である。図１６に示すように、各第１電極１３は、二桁の数字を表示するための合計１４の表示部にそれぞれ対応して設けられている。そして、各第１電極１３に対応して、第１基板１１の面上に各引き回し配線２３が設けられている。各外部取り出し電極端子２５の構造は第１実施形態と同様であるが、本実施形態では第１実施形態の液晶表示装置と比較して、外部取り出し電極端子２５の数が６つに減少している。また、第１基板１１には、上端側の端子部１１ａに加え、下端側にも端子部１１ｂが設けられている。
【００３９】
図１７、図１８および図１９は、第３実施形態の液晶表示装置における第２電極（コモン電極）および引き回し配線の構成例を示す平面図である。各第２電極１４は、二桁の数字を表示するための合計１４の表示部にそれぞれ対応して設けられている。各図では、各第２電極１４のうちの一部、具体的には上記した上記した２つの配線Ｃ１、Ｃ２、Ｃ３のうちのいずれか１つに対応した部分が示されている。各第２電極１４には、引き回し配線２４が接続されている。
【００４０】
図１７に示すように、第１基板１１の端子部１１ａには、上記した第１実施形態の場合と同様にして、各引き回し配線２４を相互に接続するためのジャンパー配線２７が設けられ、各引き回し配線２４の端部とジャンパー配線２７の間はそれぞれ繋ぎ配線２８によって接続されている。また、図１８に示すように、第１基板１１の端子部１１ｂには、上記した第１実施形態の場合と同様にして、各引き回し配線２４を相互に接続するためのジャンパー配線２７が設けられ、各引き回し配線２４の端部とジャンパー配線２７の間はそれぞれ繋ぎ配線２８によって接続されている。また、図１９に示すように、第１基板１１の端子部１１ｂには、各引き回し配線２４を外部から相互に接続するために、上記した第２実施形態の場合と同様にして各引き回し配線２４にそれぞれ対応する複数のパッド部５０が設けられている。
【００４１】
図２０は、ジャンパー配線、パッド部等の上側に設けられる絶縁膜の配置例を示す平面図である。端子部１１ａに設けられた絶縁膜２９は、第１実施形態の場合と同様に各外部取り出し電極端子２５を露出させるための複数の開口部２９ａを備える。また、端子部１１ｂに設けられた絶縁膜２９は、第２実施形態の場合と同様に各パッド部５０を露出させるための複数の開口部２９ｂを備える。
【００４２】
図２１は、第３実施形態の液晶表示装置における第１電極と第２電極を一緒に示した平面図である。絶縁膜２９によって各ジャンパー配線２７等は被覆され、各外部取り出し電極端子２５、２６は絶縁膜２９の各開口部２９ａを介して露出する。また、各パッド部５０は、絶縁膜２９の各開口部２９ｂを介して露出し、各パッド部５０の相互間は絶縁膜２９上に設けられる導通部材５１によって相互に接続され、１つの外部取り出し電極端子２６と接続される。
【００４３】
以上のような各実施形態の液晶表示装置によれば、第１基板１１側に設けた引き回し配線２３のうちのいくつかの相互間を第２基板１２側に設けた迂回配線を介して相互に接続する構成としたことにより、基板上での配線レイアウトの自由度を高めることができる。それにより、交差部分を設けずに各電極や引き回し配線を同一面上に配置することが容易となり、セグメント表示型に適したマルチプレックス駆動のＩＰＳ型液晶表示装置が得られる。
【００４４】
なお、本発明は上述した実施形態の内容に限定されるものではなく、本発明の要旨の範囲内において種々に変形して実施をすることが可能である。例えば、上記した実施形態では液晶層が電圧無印加時において一軸水平配向の場合について説明したが、液晶層の配向状態については特に限定されない。
【符号の説明】
【００４５】
１１：第１基板
１１ａ、１１ｂ：端子部
１２：第２基板
１３：第１電極
１４：第２電極
１３ａ、１４ａ：電極枝
１５：第１配向膜
１６：第２配向膜
１７：液晶層
２１：第１偏光板
２２：第２偏光板
２３、２４：引き回し配線
２５、２６：外部取り出し電極端子
２７：ジャンパー配線
２８：繋ぎ配線
２９：絶縁膜
２９ａ、２９ｂ：開口部
３０：表示部
４１：液晶層の層厚方向における略中央における液晶分子の配向方向
５０：パッド部
５１：導電部材
【図１】
2015121584.tif 000003
【図２】
2015121584.tif 000004
【図３】
2015121584.tif 000005
【図４】
2015121584.tif 000006
【図５】
2015121584.tif 000007
【図６】
2015121584.tif 000008
【図７】
2015121584.tif 000009
【図８】
2015121584.tif 000010
【図９】
2015121584.tif 000011
【図１０】
2015121584.tif 000012
【図１１】
2015121584.tif 000013
【図１２】
2015121584.tif 000014
【図１３】
2015121584.tif 000015
【図１４】
2015121584.tif 000016
【図１５】
2015121584.tif 000017
【図１６】
2015121584.tif 000018
【図１７】
2015121584.tif 000019
【図１８】
2015121584.tif 000020
【図１９】
2015121584.tif 000021
【図２０】
2015121584.tif 000022
【図２１】
2015121584.tif 000023